(57)【特許請求の範囲】
【請求項１】
木材等を切断する歯部を設けた輪状のチェーンと、
前記チェーンの非切断部を覆い、保護する保護カバーと、
前記チェーンが外周に配設され、チェーンの回動を支持するガイドバーと、
前記チェーンと噛合され、このチェーンを回動させるスプロケットと、
前記保護カバーに収められ、前記ガイドバーをチェーンソー本体に固定させ、かつ、前記チェーンとスプロケットとの噛合部を保護するスプロケットサポートと、
このスプロケットサポートとガイドバーとを固定するガイドバー固定用ボルトと、
前記スプロケットを駆動する駆動部とで構成され、
前記スプロケットサポートにおける前記チェーンとスプロケットとの噛合部を保護している箇所の外周を、前記チェーンの歯部の外周より大きくなるように、前記ガイドバーと反対方向に延出させ、
かつ、前記ガイドバー固定用ボルトのネジ部を長くし、保護カバーの開口部の一部をこのネジ部で塞いだことを特徴とするチェーンソー。
【発明の詳細な説明】
【０００１】
【発明の属する技術分野】
木材等を切断するためのチェーンを備えたチェーンソーに関する。
【０００２】
【従来の技術】
従来におけるチェーンソーの従来例を図３および図４を用いて説明する。図３は、従来におけるチェーンソーの駆動部の正面図である。図４は、従来におけるチェーンソーの駆動部の部分側断面図である。
【０００３】
図３および図４において、チェーンソー２１は、電源をオン／オフするスイッチ２２を備え、チェーンソー２１本体を支持する把持部２３と、後述するスプロケットを回転させるモータを備えた駆動部３０と、モータの回転速度を減速させ、機械的に接続されたギヤ部２６と、このギヤ部２６と接続され、外周にいくつかの突起を備えた星状のスプロケット２７と、このスプロケット２７の外周の突起と噛合されて取り付けられた輪状のチェーン２４と、このチェーン２４が外周上に配設されたガイドバー２５と、スプロケット２７の外れ防止を行うとともに、ガイドバー２５の固定を行うスプロケットサポート２８と、スプロケット２７とチェーン２４との取り付け部を保護する保護カバー２９とで構成されている。
【０００４】
保護カバー２９は、一部が開口した箱状に形成されており、この保護カバー２９の開口部から、ガイドバー２５に配設されたチェーン２４が突出した形状になっている。
【０００５】
そして、把持部２３のスイッチ２２がオンされチェーンソー２１に電源が供給されると、駆動部３０のモータが回転し、このモータの回転力が、ギヤを介してスプロケット２７に伝達される。そして、スプロケット２７が回転すると、このスプロケット２７の突起と噛合されたチェーン２４がガイドバー２５にガイドされてスプロケット２７とガイドバー２５の外周を回動する。そして、チェーン２４の外周に設けられた歯部２４ａで木材等を切断することができる。
【０００６】
【発明が解決しようとする課題】
以上のような構成のチェーンソーを駆動している状態において、チェーン、ガイドバー等に異常な外力が加わわる等して、チェーンがスプロケットから外れると、チェーンがチェーンソー本体から飛び出し、人、あるいは物に被害を与える可能性がある。
【０００７】
【課題を解決するための手段】
そこで、本発明によれば、木材等を切断する歯部を設けた輪状のチェーンと、前記チェーンの非切断部を覆い、保護する保護カバーと、前記チェーンが外周に配設され、チェーンの回動を支持するガイドバーと、前記チェーンと噛合され、このチェーンを回動させるスプロケットと、前記保護カバーに収められ、前記ガイドバーをチェーンソー本体に固定させ、かつ、前記チェーンとスプロケットとの噛合部を保護するスプロケットサポートと、このスプロケットサポートとガイドバーとを固定するガイドバー固定用ボルトと、前記スプロケットを駆動する駆動部とで構成され、前記スプロケットサポートにおける前記チェーンとスプロケットとの噛合部を保護している箇所の外周を、前記チェーンの歯部の外周より大きくなるように、前記ガイドバーと反対方向に延出させ、かつ、前記ガイドバー固定用ボルトのネジ部を長くし、保護カバーの開口部の一部をこのネジ部で塞いだことを特徴とするチェーンソーを提供する。
【０００８】
【作用】
スプロケットの一方の端面に取り付けられスプロケットを固定しているスプロケットサポートの一部あるいは全部の径をスプロケットの径よりも大きくして、チェーンがスプロケットから外れることを防止し、さらに、チェーンがスプロケットから外れたとしても、スプロケットサポートとガイドバーとを固定しているガイドバー固定用ボルトのネジ部を長くして、保護カバーの開口部の一部を横切るようにして塞ぐことにより、チェーンのカバー外への飛び出しを防止している。
【０００９】
【発明の実施の形態】
本発明における実施例を図１および図２を用いて説明する。図１は、本発明におけるチェーンソーの正面図である。図２は、本発明におけるチェーンソーの駆動部の部分側断面図である。
【００１０】
図１および図２において、チェーンソー１は、従来のチェーンソーと同様に、把持部２と、チェーン３を回動させるモータを備えた駆動部４と、モータと機械的に接続されたギヤ部５と、このギヤ部５と接続された星状のスプロケット６と、このスプロケット６と噛合されて取り付けられた輪状のチェーン３と、このチェーン３が外周上に配設されたガイドバー７と、スプロケット６の外れ防止を行うとともに、ガイドバー７の固定を行うスプロケットサポート８と、スプロケット８とチェーン３との取り付け部を保護する保護カバー９で構成されている。
【００１１】
そして、チェーン３とスプロケット６との噛合部におけるスプロケットサポート８の径をスプロケット６の突起先端までの外径、あるいは、スプロケット６に噛合されている箇所のチェーン３の外径よりも大きくしている。
【００１２】
また、このスプロケットサポート８の外周は、スプロケット６の突起先端までの外径の全周にわたってまで大きくする必要はなく、一部のみを大きくすればチェーン３の外れを防止することができる。
【００１３】
また、スプロケットサポート８とガイドバー７とを固定しているボルト１０のネジ部１０ａの長さを長くすることによって、保護カバー９の開口部と、このネジ部１０ａとによって隙間が狭まり、チェーン３がスプロケット６から外れたときでも、保護カバー９の開口部とネジ部１０ａとにより、チェーン３が引っかかって、保護カバー９外へ飛び出さないようになっている。
【００１４】
以上のような構成にすれば、保護カバー内にあるスプロケットサポートの形状とボルトのネジ部の長さとを変えただけなので、チェーンソーの外観上の変化は少なく、さらに、既存の部品の形状を変えただけなのでコスト的にも安くすることができる。
【００１５】
【発明の効果】
本発明は、外観上の変化も少なく、また簡単な構造なので、コスト的にも安くチェーンの外れ防止を行うことができる。したがって、チェーンソーの安全性が向上する。
【００１６】
【図面の簡単な説明】
【図１】本発明におけるチェーンソーの正面図。
【図２】本発明におけるチェーンソーの駆動部の部分側断面図。
【図３】従来におけるチェーンソーの駆動部の正面図。
【図４】従来におけるチェーンソーの駆動部の部分側断面図。
【符号の説明】
１、２１…チェーンソー
２、２３…把持部
３、２４…チェーン
４、３０…駆動部
５、２６…ギヤ部
６、２７…スプロケット
７、２５…ガイドバー
８、２８…スプロケットサポート
９、２９…保護カバー
１０…ボルト
２２…スイッチ
【図１】
0004469028.tif 000002
【図２】
0004469028.tif 000003
【図３】
0004469028.tif 000004
【図４】
0004469028.tif 000005